(57)【要約】【課題】収容された磁気テープ担持体の磁気情報を外部から読取り困難にする。収容された磁気テープ担持体の磁気情報が外部からの電磁波や磁界により破壊されるのを防止する。軽量化を確保しながら、使用時には容易に折り曲げすることができ、携帯したりするのを便利にする。【解決手段】収容具１の内面に、高透磁性材料粉を含有した磁気遮蔽体５を、少なくとも磁気テープ担持体３に貼付けられ磁気テープ３ａの両面を覆うように設ける。【選択図】        図２
0003111455.tif 000002
【実用新案登録請求の範囲】
【請求項１】
各種情報が記憶された磁気テープが貼付された磁気テープ担持体を収容する収容具の内面に、高透磁性材料粉を含有し、可撓性を有した磁気遮蔽体を、少なくとも磁気テープ担持体に貼付けられ磁気テープの両面を覆うように設けた磁気テープ担持体用収容具。
【請求項２】
請求項１の高透磁性材料粉は、Ni−Fe合金粉及びアモルファス合金粉のいずれかとした磁気テープ担持体用収容具。
【請求項３】
請求項１の磁気遮蔽体は、高透磁性材料粉を含有したゴム板、可撓性を有した合成樹脂板、繊維体の少なくともいずれかとした磁気テープ担持体用収容具。
【請求項４】
請求項１の磁気遮蔽体は、ゴム板及び可撓性を有した合成樹脂板のいずれかに対し、高透磁性材料粉を最大で９０ｗｔ％を含有した磁気テープ担持体用収容具。
【請求項５】
請求項１の磁気テープ担持体は、キャッシュカード、クレジットカード、通帳のいずれかとした磁気テープ担持体用収容具。
【請求項６】
請求項１の磁気テープ担持体用収容具は、磁気テープ担持体収容部が設けられた財布である磁気テープ担持体用収容具。
【請求項７】
請求項１の磁気テープ担持体用収容具は、磁気テープ担持体収容部が設けられたカードホルダーである磁気テープ担持体用収容具。
【考案の詳細な説明】
【技術分野】
【０００１】
本考案は、カード情報や貯金情報等の各種情報が磁気記憶された磁気テープが貼付されたキャッシュカードやクレジットカード、貯金通帳等の磁気テープ担持体を収容し、外部から磁気情報の読取りを困難化又は不可能化した磁気テープ担持体用収容具に関する。
【背景技術】
【０００２】
近年、例えばクレジットカードやキャッシュカードに貼付けられた磁気テープに記憶されたカード情報を、所謂スキマーと称される磁気読取装置により読取り、このカード情報を同規格のカードに貼付けられた磁気テープに書込んで偽造カードを製作し、この偽造カードを使用して現金等の財物を不正に取得するスキミング犯罪が多発している。
【０００３】
上記磁気読取装置は、カードに対して非接触で磁気テープのカード情報を読取ることができ、近年においては、カードから数１０cm離れた位置からでも、磁気テープのカード情報を読取ることができるように高性能化及び小型化している。
このため、財布等にカードを収容したままの状態であっても、磁気読取装置を財布等に近づけるだけで磁気テープのカード情報を読取ることができ、所有者が全く知らない間にスキミング被害にあうケースが増大しているのが実情である。
【０００４】
上記した欠点は、各種のカード情報が電気的に記憶されたＩＣチップをカードに一体化し、上記した磁気読取装置による各種カード情報の読取りを不可能化することにより解決できるが、ＩＣカード化した場合には、例えば磁気カードを対象とする既存のＡＴＭ等ではＩＣカードを使用することができず、カード利用が制限されて不便になる問題を有している。また、ＩＣカードが読取り可能なＡＴＭに変更するには、その交換に膨大な費用がかかる問題を有している。
【０００５】
また、特許文献１に示すように各種カードが収容される財布やカードホルダーに、磁気を遮蔽するパーマロイ等の高透磁性プレートを装着し、外部から磁気テープに記憶されたカード情報を読取り不能にしたものが提案されている。しかし、高透磁性プレート自体、剛性が高く、重い金属板であるため、カードを収容する財布等自体が重量化すると共に折り曲げが困難なため、携帯に不便で、使用し難い問題を有している。
【０００６】
更に、上記カードを収容した財布等の近くに携帯電話や電動モータ、磁石等のように強い電磁波や磁界を発生する機器がある場合、収容されたカードの磁気テープに記憶された磁気情報が外部からの電磁波や磁界により破壊されて使用できなくなる問題を有している。
【特許文献１】実開平１−１７０３７５号公報
【考案の開示】
【考案が解決しようとする課題】
【０００７】
解決しようとする問題点は、収容された磁気テープ担持体の磁気情報が外部から容易に読取ることができる点にある。また、収容された磁気テープ担持体の磁気情報が外部からの電磁波や磁界により破壊されて使用不能になる点にある。更に、使用時に容易に折り曲げすることが困難で、使用しずらい点にある。また、更に、重量化して携帯するのに不便な点にある。
【課題を解決するための手段】
【０００８】
本考案は、各種情報が記憶された磁気テープが貼付された磁気テープ担持体を収容する収容具の内面に、高透磁性材料粉を含有した磁気遮蔽体を、少なくとも磁気テープ担持体に貼付けられ磁気テープの両面を覆うように設けたことを特徴とする。
【考案の効果】
【０００９】
本発明は、収容された磁気テープ担持体の磁気情報を外部から読取り困難にすることができる。また、収容された磁気テープ担持体の磁気情報が外部からの電磁波や磁界により破壊されるのを防止することができる。更に、軽量化を確保しながら、使用時には容易に折り曲げすることができ、携帯したりするのに便利である。
【考案を実施するための最良の形態】
【００１０】
本考案は、収容具の内面に、高透磁性材料粉を含有した磁気遮蔽体を、少なくとも磁気テープ担持体に貼付けられ磁気テープの両面を覆うように設けたことを最良の形態とする。
【実施例】
【００１１】
以下に実施形態を示す図に従って本考案を説明する。
図１及び図２において、磁気テープ担持体用収容具を構成する財布１は中折り長札形状で、内部には札入部１ａ及び磁気テープ担持体収容部としての複数のカード収容部１ｂが設けられている。財布１の材質としては、皮革、布、軟質合成樹脂布等の何れであってもよい。そして各カード収容部１ｂは、例えば裏面に各種のカード情報が磁気的に記憶された磁気テープ３ａが貼付けられた磁気テープ担持体としてのクレジットカードやキャッシュカード等のカード３を収容するように構成される。
【００１２】
折返された財布１の両外装材１ｃ内面には磁気遮蔽板５が内装されている。該磁気遮蔽板５は広げられた財布１の両外装材１ｃ内面全体を覆う大きさで、中間部にて屈曲するように肉薄のヒンジ部を有して折曲可能に形成される。該磁気遮蔽板５としては、ゴム材や可撓性を有した合成樹脂中に、Ni−Fe合金粉やアモルファス合金粉等の高透磁性材料粉を約５０〜９０ｗｔ％の割合で含有して所望の厚さのシート状に形成される。上記したNi−Fe合金は、パーマロイ合金と称されるものであり、Ni含有量が多い場合には、粉末化するのが困難なため、含有量としては約３０〜５０％が望ましい。
【００１３】
磁気遮蔽板５における高透磁性材料粉の含有率は、磁気遮蔽板５自体の折曲げ耐久性と要求される厚さ及び磁気遮蔽度の関係から適宜設定されるもので、例えば磁気遮蔽板５自体、厚手状でもよい場合には、含有量を少なくし、反対に薄手状とする場合には、高透磁性材料粉の含有率を多くすればよい。そして磁気遮蔽板５は両外装材１ｃの裏面に取付けられる裏地材７により被覆され、財布１を広げた際に露出することがないように内装される。
【００１４】
上記財布１に装着される磁気遮蔽板５は、以下のように機能し、カード３に貼付けられた磁気テープ３ａの磁気データが磁気読取装置９により外部から読取られるのを防いでいる。
【００１５】
即ち、財布１のカード収容部１ｂ内に収容されたカード３の磁気テープ３ａは記憶された磁気情報に応じた微弱の磁界を形成している。この磁界が磁気遮蔽板５に含有された高透磁性材料粉に作用すると、磁界が磁気遮蔽板５に含有された高透磁性材料粉内に透磁して磁気回路を形成し、磁気回路中の磁気損失により吸収して磁界が外部に漏出するのを防止する。このため、カード３が収容された財布１に、磁気読取装置（図示せず）を近づけても、この磁気読取装置により磁気テープ３ａから発生する微小磁界による磁気情報が読取られるのを防ぐことができる。
【００１６】
また、カード３を収容した財布１の近くに携帯電話や電動モータ、磁石等の磁界発生機器（図示せず）がある場合、磁界発生機器である携帯電話から出力される電磁波や電動モータの駆動に伴って発生する磁界により磁気テープ３ａに書込まれた磁気情報が破壊されてカード３が使用不能になる恐れがある。
【００１７】
本実施例の財布１にあっては、近くに携帯電話や電動モータ、磁石等のように電磁波や磁界を発生する機器や部材がある場合には、磁気遮蔽板５に含有された高透磁性材料粉により磁界発生機器からの磁界を透磁して磁気回路を形成し、その磁気損失により吸収することにより外部からの電磁波や磁界が磁気テープ３ａに作用して磁気情報が破壊されるのを防止し、カード３が使用不能になるのを防ぐことができる。
【００１８】
本考案は、以下のように変更実施することができる。
１．上記説明は、磁気テープ担持体をキャッシュカードやクレジットカード等のカードにより説明したが、通帳情報が磁気的に記憶された磁気テープが貼付けられた、例えば銀行等の通帳や個人情報等が磁気的に記憶された磁気テープが貼付けられたＩＤカード等であってもよい。
【００１９】
２．上記説明は、磁気テープ担持体用収容具を財布１として説明したが、カードのみを収容するカードホルダーや上記した通帳ホルダー、バッグや鞄等であってもよい。
【００２０】
３．上記説明は、磁気テープ担持体用収容具としての財布１における外装材１ｃの内面全体に磁気遮蔽板５を設ける構成としたが、磁気遮蔽板５としては、収容されたカード３に貼付けられた磁気テープ３ａの両面を覆うように設ける構成であればよい。
【００２１】
４．上記説明は、該磁気遮蔽板５として、ゴム材や可撓性を有した合成樹脂中に、Ni−Fe合金粉やアモルファス合金粉等の高透磁性材料粉を含有したシート状とする構成としたが、Ni−Fe合金粉やアモルファス合金粉等の高透磁性材料粉を含有した紙体や繊維等の繊維体であってもよい。
【００２２】
繊維体を紙とする場合にあっては、紙を製造する際に高透磁性材料粉を直接含有させたり、製造された紙の表裏面に高透磁性材料粉を所望の厚さで付着して磁気遮蔽層を形成する構成であってもよい。また、繊維体を織布或いは不織布とする場合にあっては、製造された繊維中に高透磁性材料粉を物理的に含有させたり、付着させた構成、或いは繊維材料に高透磁性材料の微粉を含有して製造した繊維としてもよい。
【図面の簡単な説明】
【００２３】
【図１】磁気テープ担持体用収容具を具体化した財布を示す一部破断斜視図である。
【図２】財布の縦断面図である。
【符号の説明】
【００２４】
１  磁気テープ担持体用収容具としての財布
３  磁気テープ担持体としてのカード
３ａ  磁気テープ
５  磁気遮蔽体としての磁気遮蔽板
５ａ  高透磁性材料粉
【図１】
0003111455.tif 000003
【図２】
0003111455.tif 000004